(57)【要約】【課題】獣医師が犬猫等のペット動物歯の診療をするにあたって、歯科医師からの専門的な見解や助言を容易且つリアルタイムに得られるシステムを提供することを課題とする。【解決手段】インターネット等の公衆通信回線によって相互に接続された獣医師側端末装置と歯科医師側端末装置と管理本部側サーバ装置とによってネットワークを構成し、各種情報を一元的に管理する管理本部側サーバ装置を介し、獣医師側端末装置と歯科医師側端末装置の双方から入力送信されてくる診療情報によって診療案件毎の独自の電子カルテ（インターネット上のペット動物歯科診療カルテ）を作成するとともに、該電子カルテをそれぞれの端末装置より閲覧可能とする。【選択図】　図１
2004033663.tif 000002
【特許請求の範囲】
【請求項１】
インターネット等の公衆通信回線によって相互に接続された獣医師側端末装置と歯科医師側端末装置と管理本部側サーバ装置とによってネットワーク構成されたシステムであって、各種情報を一元的に管理する管理本部側サーバ装置を介し、獣医師側端末装置と歯科医師側端末装置の双方から入力送信されてくる診療情報によって診療案件毎のインターネット上の電子カルテを作成するとともに、該電子カルテを獣医師側と歯科医師側のそれぞれの端末装置より閲覧可能としたことを特徴とする歯科医師によるペット歯科診療支援システム。
【請求項２】
前記電子カルテは、入力画面を兼ねた定型のフォームで、カルテ識別番号、動物識別番号、診療動物の名前、種別、種類、性別、年齢、乳歯か永久歯かの別及び症状の概要等からなる基礎情報を入力表示する基礎情報ページと、予め診療動物の種別によって自動的に選択決定された歯の区分け略図、各々の歯に対応しデジカメ画像並びにレントゲン画像を伴う獣医師による視触検査結果等からなる検診情報が入力表示される検診情報ページと、歯科医師による診断結果及び治療上のポイント等からなる助言情報を入力表示する助言情報ページとを含むことを特徴とする請求項１に記載の歯科医師によるペット歯科診療支援システム。
【請求項３】
獣医師が獣医師側端末装置から管理本部側サーバ装置にアクセス・ログインして診療動物に関する基礎情報並びに検診情報を電子カルテへ入力し、これを管理本部側サーバ装置に送信するステップと、獣医師側端末装置より電子カルテを受信した管理本部側サーバ装置が、この受信電子カルテを診療案件毎にファイル生成して電子カルテデータベースに記憶格納した後、その要約を書き込んだ診察依頼メールを予め登録されている歯科医師に送信するステップと、管理本部側よりの診察依頼メールを受信し診断可能と判断した歯科医師が、歯科医師側端末装置から管理本部側サーバ装置にアクセス・ログインして、管理本部側サーバ装置に記憶格納されている該当電子カルテを閲覧し、獣医師が入力送信した基礎情報並びに検診情報から判断した助言情報を当該電子カルテに入力し、これを管理本部側サーバ装置に送信するステップと、助言情報が入力送信されたことを知らされた診療獣医師が、獣医師側端末装置から管理本部側サーバ装置にアクセス・ログインして、当該電子カルテに書き込まれた歯科医師による助言情報を閲覧するステップとを有することを特徴とする請求項１及び請求項２に記載の歯科医師によるペット歯科診療支援システム。
【発明の詳細な説明】
【０００１】
【発明の属する技術分野】
本発明は、獣医師と歯科医師とのインターネットを介した電子カルテのやりとりにより、獣医師による犬、猫等のペット動物歯の診断や治療につき、歯科医師からの適切な診断及び治療情報をリアルタイムに得ることのできる歯科医師によるペット歯科診療支援システムに関する。
【０００２】
【従来の技術】
通例、犬、猫等のペット動物歯の検査、診断及び治療（診療）は、獣医師が直接行っているのであるが、近年、犬、猫等のペットの寿命が延びたことに伴い、これらペット動物歯の診療の頻度や重要度が増し、診療内容も複雑化且つ難解化してきており、時として、歯科医療に関する高度な専門的知識が要求される場面も多く、このような場合にあっては、獣医師が歯科専門書を読んだり、知り合いの歯科医師に問い合わせる等してどうにか対処しているのが実状である。
【０００３】
しかしながら、獣医師と歯科医師とでは、歯科医療に関する専門的知識の修得度や認識度に自ずと差があり、限られた獣医師を除き、専門書を十分理解できなかったり、歯科医師との間の知識交換が十分に行えなかったりして、歯の診療に関する的確な知識を得られず、飼い主の満足できる高度で一定した質のペット動物歯科治療を施すことができない等の問題を抱えている。
【０００４】
【発明が解決しようとする課題】
本発明は、上記ペット動物歯科医療の実状に鑑みなされたもので、獣医師が犬猫等のペット動物歯の診療をするにあたって、歯科医師からの専門的な見解や助言を容易且つリアルタイムに得られるシステムを提供することを課題とするものである。
【０００５】
【課題を解決するための手段】
上記課題を解決するため、本発明に係る歯科医師によるペット歯科診療支援システムにあっては、インターネット等の公衆通信回線によって相互に接続された獣医師側端末装置と歯科医師側端末装置と管理本部側サーバ装置とによってネットワークを構成し、各種情報を一元的に管理する管理本部側サーバ装置を介し、獣医師側端末装置と歯科医師側端末装置の双方から入力送信されてくる診療情報によって診療案件毎の電子カルテ（インターネット上のペット動物歯科診療カルテ）を作成するとともに、該電子カルテをそれぞれの端末装置より閲覧可能とすることによって、獣医師による犬、猫等のペット動物歯の診療を支援することとしたものである。
【０００６】
本発明システムにおける電子カルテは、入力画面を兼ねた定型のフォームで、カルテ識別番号、動物識別番号、診療動物の名前、種別、種類、性別、年齢、乳歯か永久歯かの別及び症状の概要等（基礎情報）を入力表示する基礎情報ページと、予め診療動物の種別によって自動的に選択決定された歯の区分け略図、各々の歯に対応しデジカメ画像並びにレントゲン画像を伴う獣医師による視触検査結果等（検診情報）が入力表示される検診情報ページと、歯科医師による診断結果及び治療上のポイント等（助言情報）を入力表示する助言情報ページとを含むものとする。
【０００７】
また、本発明システムにあっては、獣医師が獣医師側端末装置から管理本部側サーバ装置にアクセス・ログインして診療動物に関する基礎情報並びに検診情報を電子カルテへ入力し、これを管理本部側サーバ装置に送信するステップと、獣医師側端末装置より電子カルテを受信した管理本部側サーバ装置が、この受信電子カルテを診療案件毎にファイル生成して電子カルテデータベースに記憶格納した後、その要約を書き込んだ診察依頼メールを予め登録されている歯科医師に送信するステップと、管理本部側よりの診察依頼メールを受信し診断可能と判断した歯科医師が、歯科医師側端末装置から管理本部側サーバ装置にアクセス・ログインして、管理本部側サーバ装置に記憶格納されている該当電子カルテを閲覧し、獣医師が入力送信した基礎情報並びに検診情報から判断した助言情報を当該電子カルテに入力し、これを管理本部側サーバ装置に送信するステップと、助言情報が入力送信されたことを知らされた診療獣医師が、獣医師側端末装置から管理本部側サーバ装置にアクセス・ログインして、当該電子カルテに書き込まれた歯科医師による助言情報を閲覧するステップとを有する。
【０００８】
上記のような獣医師と歯科医師との間でのペット動物歯の診療に関する電子カルテのやりとりにより、犬猫等のペット動物歯の診断や治療に際し、獣医師は歯科医師からの専門的な見解や助言を容易且つリアルタイムに得ることが可能となる。
【０００９】
【発明の実施の形態】
以下、本発明による歯科医師によるペット歯科診療支援システムの一実施形態について、図面に基づいて説明する。
【００１０】
図１は、本実施形態における歯科医師によるペット歯科診療支援システムの基本構成を示したもので、１０は管理本部側サーバ装置、３０は獣医師側端末装置、４０は歯科医師側端末装置、５０はインターネット等の公衆通信回線を示し、インターネット等の公衆通信回線５０によって相互に接続された獣医師側端末装置３０と歯科医師側端末装置４０と管理本部側サーバ装置１０とによってネットワークを構成し、各種情報を一元的に管理する管理本部側サーバ装置１０を介し、獣医師側端末装置３０と歯科医師側端末装置４０双方から入力送信されてくるペット動物歯の検査、診断及び治療に関する情報（診療情報）によって、診察動物毎の電子カルテ（インターネット上のペット動物歯の診療カルテ）を作成し、該電子カルテをそれぞれの端末装置より閲覧可能なよう構成したものである。
【００１１】
管理本部側サーバ装置１０は、インターネット接続が可能なよう送信手段１１と受信手段１２とが基本的に備えられ、その他、入力手段１３、出力手段１４、記憶手段１５、ＩＤ付与手段１６、照合手段１７、選別手段１８及び更新手段１９等が適宜備えられ、電子メール送信装置２０が接続され、獣医師データベース２１、歯科医師データベース２２、電子カルテデータベース２３、診療動物データベース２４及び診療履歴データベース２５等からなるデータベース群を有し、予めプログラム設計された手順や手法に従って自動的にシステム機能するコンピューター装置である。
【００１２】
獣医師側端末装置３０と歯科医師側端末装置４０とは、何れもパーソナルコンピューター（ＰＣ）等の汎用の情報通信端末からなり、インターネット接続が可能なよう送信手段３１、４１と受信手段３２、４２とが基本的に備えられ、その他、ハードディスク等よりなる記憶手段３３、４３、ディスプレイやプリンター等よりなる出力（表示）手段３４、４４及びキーボードやマウスやスキャナ等よりなる入力手段３５、４５等の周辺機器を適宜備え、歯科医師側端末装置４０にあっては、デジタルカメラで撮影した画像情報及びレントゲン撮影した画像情報を読み取り入力するためのスキャナは必須の装置となる。
【００１３】
管理本部側サーバ装置１０が備える主な手段に付いて説明すると、ＩＤ付与手段１６は、獣医師及び歯科医師毎に個別の登録会員ＩＤを自動的に付与する手段で、予めなされる会員登録の際に付与されるものである。照合手段１７は、獣医師側端末装置３０又は歯科医師側端末装置４０より発信されてきたＩＤ及びパスワードを認識し、管理本部側サーバ装置１０にアクセスしてきた具体的な獣医師又は歯科医師を特定するための手段で、これによって各データベースに蓄積されているファイルの閲覧許可（ログイン）の可否を決定するものである。選別手段１８は、獣医師側端末装置３０又は歯科医師側端末装置４０より発信されてきた閲覧要求情報により、開示可能な記憶情報のうち如何なる情報を開示すべきかを選別抽出するための手段で、これによって選別抽出された情報は送信手段１１によって獣医師側端末装置３０又は歯科医師側端末装置４０にＷｅｂ提供される。
【００１４】
管理本部側サーバ装置１０が有するデータベース群について説明すると、獣医師データベース２１は、会員登録申込みの際に獣医師側端末装置３０から送られてくる当該獣医師に関する各種情報（獣医師情報）を、付与されるＩＤ及び届け出たパスワードと共に獣医師毎にファイル生成して蓄積したもので、上記獣医師情報には、当該獣医師の氏名、性別、年齢、免許番号、経歴等の個人属性に関する情報のほか、所属する動物病院の名称、代表者、住所、電話番号、ＦＡＸ番号、所属部署名等の職場属性に関する情報及び当該獣医師のＥメール番号、携帯電話番号、携帯メール番号等の連絡先情報が含まれる。
【００１５】
また、歯科医師データベース２２は、前記獣医師データベース２１と同様に、会員登録申込みの際に歯科医師側端末装置４０から送られてくる当該歯科医師に関する各種情報（歯科医師情報）を、付与されるＩＤ及び届け出たパスワードと共に歯科医師毎にファイル生成して蓄積したもので、上記歯科医師情報には、前記獣医師情報と同様の情報が記憶されている。
【００１６】
電子カルテデータベース２３は、獣医師側端末装置３０及び歯科医師側端末装置４０から送られてきた診療中のペット動物歯の診療に関する各種情報を、診療案件毎のカルテ識別番号を付しファイル生成して蓄積したもので、上記診療情報には、診療動物の名前、種別（犬、猫等）、種類（犬種、猫種等）、性別、年齢（月齢を含む）、飼い主の住所・氏名等の診療動物の属性に関する情報のほか、乳歯か永久歯かの別及び症状の概要等からなる基礎情報と、獣医師によって行われた視触検査の結果、デジカメ撮影画像、レントゲン撮影画像等からなる検診情報と、歯科医師による診断結果及び治療上のポイント等からなる助言情報と、獣医師による治療処置や薬の処方並びにその結果等からなる治療経過情報が含まれる。
【００１７】
診療動物データベース２４は、前記電子カルテデータベース２３に含まれる基礎情報中の診療動物の属性に関する情報を独立させ、診療動物毎に識別番号を付しファイル生成してデータベース化したもので、一度ファイル登録された診療動物の属性情報は、個別に付された識別番号によって記憶認識され、情報の変更がない場合には再度の電子カルテへの入力を必要とせず、また、後述の診療履歴データベース２５のファイルと関連付けられて、当該動物の病歴や診療歴情報が抽出可能とされている。
【００１８】
診療履歴データベース２５は、治療が終了したペット動物歯の前記電子カルテを独立させ、前記獣医師データベース２１、歯科医師データベース２２、電子カルテデータベース２３、診療動物データベース２４と関連付けて診療案件毎にファイル生成してデータベース化したもので、診療動物の病歴や診療歴を知るため、或いは、参考となる類例案件を閲覧するための履歴情報を蓄積させたものである。
【００１９】
本実施形態例にて用いられる電子カルテの構成に付いて説明すると、本システムにおける電子カルテは、診療内容等が書き込まれた入力画面を兼ねたインターネット上の定型フォームで、基礎情報ページ（Ａ）と、検診情報ページ（Ｂ）と、助言情報ページ（Ｃ）と、治療経過情報ページ（Ｄ）と、参考情報ページ（Ｅ）とに大別される。
【００２０】
基礎情報ページ（Ａ）には、カルテ識別番号、動物識別番号、診療動物の名前、種別、種類、性別、年齢、乳歯か永久歯かの別及び症状の概要を入力表示する欄が設けられている（図５参照）。
【００２１】
検診情報ページ（Ｂ）には、検診情報項目ペ−ジ（Ｂ１）と検診情報入力閲覧ページ（Ｂ２）とがあり、検診情報項目ペ−ジ（Ｂ１）には、予め診療動物の種別によって自動的に選択決定された歯の略図が、上顎と下顎、切歯と犬歯と前臼歯と後臼歯とに区分して表示され、合わせて、検診情報入力閲覧ページ（Ｂ２）を開くためのクリックボタンが設けられ（図６参照）、検診情報入力閲覧ページ（Ｂ２）には、検診情報項目ペ−ジ（Ｂ１）で選択した個々の歯に対応した略図が表示され、該歯毎のデジカメ画像、レントゲン画像及び獣医師による視触検査結果を入力表示する欄が設けられている（図７参照）。
【００２２】
助言情報ページ（Ｃ）には、問題のある歯の図解表示欄、基礎情報を略表示した欄、前記図解表示された問題のある歯各々に対応する検診情報をデジカメ画像及びレントゲン画像とともに表示した欄及び担当歯科医師の氏名と所属する動物病院名を表示した欄等とともに、担当歯科医師による助言情報を入力表示する欄が設けられ（図８参照）、また、治療経過情報ページ（Ｄ）は、獣医師による治療経過情報を入力表示するページ（図示せず）であり、参考情報ページ（Ｅ）は、当該診療動物の過去の病歴や治療履歴等の参考事項を入力表示するページ（図示せず）である。
【００２３】
次に、本システムを利用するための獣医師又は歯科医師による会員登録のフローを図２に基づいて説明する。
【００２４】
本発明システムにあっては、獣医師側及び歯科医師側ともに会員登録を行うものとし、獣医師による登録申込は、獣医師側が獣医師側端末装置３０より管理本部側サーバー装置１０にアクセスし、獣医師向け入会申込用のＷｅｂページ（図４）から、氏名、性別、年齢、免許番号、経歴等の個人属性に関する情報のほか、所属する動物病院の名称、代表者、住所、電話番号、ＦＡＸ番号、所属部署名等の職場属性に関する情報及び当該獣医師のＥメール番号、携帯電話番号、携帯メール番号等の連絡先情報を独自のパスワードと共に入力し（Ｓｔ１）、これら各情報（獣医師情報）を管理本部側サーバ装置に送信する（Ｓｔ２）。
【００２５】
獣医師側より獣医師情報を受信した管理本部側は、送信されてきた情報を審査し（Ｓｔ３）、その結果、会員登録を認める場合には、ＩＤ付与手段１６によって個別の獣医師会員ＩＤを付与し（Ｓｔ４）、該獣医師情報を記憶手段１５によって獣医師データベース２１に記憶格納し（Ｓｔ５）、この審査結果並びに登録内容を獣医師側にファックス、郵便、Ｗｅｂ又は電子メールの何れかの方法をもって通知する（Ｓｔ６）。これによって当該獣医師の会員登録は完了し、以後、登録した獣医師情報を追加又は変更する場合には、当該獣医師側が管理本部側サーバー装置１０に適宜アクセスし、獣医師向けＷｅｂページから、付与された獣医師会員ＩＤ及び届け出たパスワードを用いて変更情報又は追加情報を入力送信し（Ｓｔ７）、これを受けた管理本部側が更新手段２０によって獣医師データベース２１に記憶格納されている該情報の変更又は追加を行う（Ｓｔ８）。
【００２６】
また、歯科医師による登録申込も前記獣医師の会員登録と同様の手順によってなされるもので、歯科医師が歯科医師側端末装置４０より管理本部側サーバー装置１０にアクセスし、歯科医師向け入会申込用のＷｅｂページ（図示せず、図４とほぼ同様）から、氏名、性別、年齢、免許番号、経歴等の個人属性に関する情報のほか、所属する病院の名称、代表者、住所、電話番号、ＦＡＸ番号、所属部署名等の職場属性に関する情報及び当該歯科医師のＥメール番号、携帯電話番号、携帯メール番号等の連絡先情報を独自のパスワードと共に入力し（Ｓｔ１′）、これら各情報（歯科医師情報）を管理本部側サーバ装置に送信する（Ｓｔ２′）。
【００２７】
歯科医師側より歯科医師情報を受信した管理本部側は、獣医師の場合と同様に、審査し（Ｓｔ３′）、歯科医師会員ＩＤを付与し（Ｓｔ４′）、該歯科医師情報を歯科医師データベース２２に記憶格納し（Ｓｔ５′）、この審査結果並びに登録内容を歯科医師側に適宜手段をもって通知し（Ｓｔ６′）、登録した該歯科医師情報を追加又は変更する場合には、付与された歯科医師会員ＩＤ及び届け出たパスワードを用いて変更情報又は追加情報を入力送信し（Ｓｔ７′）、これを受けた管理本部側が歯科医師データベース２２に記憶格納されている該情報の変更又は追加を行う（Ｓｔ８′）。
【００２８】
次に、本発明システムを利用して、実際にペット動物歯の診療が行われる際のフローを図３に基づいて説明する。
【００２９】
先ず、会員登録を済ませた獣医師側が獣医師側端末装置３０によって管理本部側サーバー装置１０にアクセスし、獣医師会員ＩＤとパスワードを入力送信し（Ｓｔ１０）、これを受信した管理本部側サーバー装置１０が照合手段１７によってこのＩＤとパスワードを照合確認（Ｓｔ１１）した後、新規電子カルテへのログインを許可する（Ｓｔ１２）。
【００３０】
新規電子カルテへのログインを許可された獣医師は、電子カルテの基礎情報ページ（Ａ）画面（図５）より、診療動物の基礎情報を入力し（Ｓｔ１３）、続いて、検診情報ページ（Ｂ）画面（図６・図７）より、予め診療動物の種別によって自動的に選択決定され、上顎と下顎、切歯と犬歯と前臼歯と後臼歯とに区分して表示された略図から治療を要する歯の部分をクリックし、該治療を要すると判断した各々の歯に対応した獣医師による視触検査結果と予めデジカメ及びレントゲン撮影されスキャンされているデジカメ画像及びレントゲン画像（検診情報）を入力し（Ｓｔ１４）、これら入力した基礎情報及び検診情報を記憶させた後、管理本部側サーバ装置１０に送信する（Ｓｔ１５）。
【００３１】
獣医師側端末装置３０よりの上記基礎情報及び検診情報を受信した管理本部側サーバー装置１０は、診療案件毎のカルテ識別番号と診療動物毎の動物識別番号を自動付加し（Ｓｔ１６）、記憶手段１５によって電子カルテデータベース２３に記憶格納する（Ｓｔ１７）とともに、図９に示すような診察依頼書を自動作成し（Ｓｔ１８）、電子メール送信装置２０によって会員歯科医師側にメール送信する（Ｓｔ１９）。
【００３２】
管理本部側より診断依頼メールを受信し、本案件につき診断できると判断した会員歯科医師は、管理本部側サーバ装置１０にアクセスし、会員歯科医師ＩＤと届け出てあるパスワードを入力送信し（Ｓｔ２０）、このＩＤとパスワードを照合確認（Ｓｔ２１）を受けた後、該当する電子カルテへのログインが許可され（Ｓｔ２２）、当該電子カルテの助言情報ページ（Ｃ）画面（図８）より、獣医師によ検診情報を参照しながら診察を行い助言情報を入力し（Ｓｔ２３）、これを管理本部側サーバ装置１０に送信し（Ｓｔ２４）、記憶させ（Ｓｔ２５）、診療獣医師に診断完了のメールを送信する（Ｓｔ２６）。尚、この診断完了メールは、助言情報を受信した管理本部側サーバ装置１０によって自動送信することも可能である。
【００３３】
この助言情報の入力送信によって当該診療案件についての担当歯科医師が決定され、この際、当該電子カルテに何れかの会員歯科医師がログインして担当歯科医師と決定されると、他の会員歯科医師はこの電子カルテにログインして書き込むことができなくなる。
【００３４】
担当歯科医師側又は管理本部側から歯科医師による診断完了のメールを受信した獣医師は、管理本部側サーバ装置１０にアクセスし、会員獣医師ＩＤとパスワードを入力送信し（Ｓｔ２７）、当該電子カルテにログインし（Ｓｔ２８）、助言情報ページ（Ｃ）を開示して担当歯科医師による助言情報の書き込みを確認した後に、この電子カルテファイルをダウンロードし（Ｓｔ２９）、適宜に書面カルテとしてプリントアウトする（Ｓｔ３０）。
【００３５】
上記各ステップ（Ｓｔ）により、獣医師は電子カルテに入力された担当歯科医師の助言情報をリアルタイムに閲覧することができ、高度で的確な歯科医療の知識を得たうえで診療動物の治療に当たることが可能となるものであるが、その後、適宜に獣医師側が獣医師側端末装置３０より管理本部側サーバ装置１０にアクセスし、会員獣医師ＩＤとパスワードを入力送信し（Ｓｔ３１）、当該電子カルテに再びログインし（Ｓｔ３２）、治療経過情報ページ（Ｄ）より獣医師が実際に行った処置や薬の処方並びにその結果等（治療経過情報）を入力し（Ｓｔ３３）、これを管理本部側サーバ装置１０に送信し（Ｓｔ３４）、記憶させる（Ｓｔ３５）。そして、必要であれば、上記各ステップと同様のフローで更なる担当歯科医師による助言情報を得ることが可能となる。
【発明の効果】
【００３６】
以上のように、本発明に係る歯科医師によるペット歯科診療支援システムにあっては、複数の待機する歯科医師の中から、診療案件に即座に対応できる歯科医師を担当歯科医師と決定し、この担当歯科医師と獣医師との間でペット動物歯の診療に関する情報を送受信することによって電子カルテを作成し、これによって診療情報を共有することができるため、ペット動物歯の診療に際し、獣医師は歯科医師からの専門的な見解や助言を容易且つリアルタイムに得ることが可能となり、高度で一定した歯科医療を犬、猫等の動物に施すことができる。
【図面の簡単な説明】
【図１】本発明に係る歯科医師によるペット歯科診療支援システムの概要を示す基本構成図。
【図２】同上システムにおける会員登録のフローチャート。
【図３】同上システムを利用して診療を行う場合のフローチャート。
【図４】同上システムにおける会員登録申込画面の一例を示す説明図。
【図５】同上システムにおける基礎情報入力画面の一例を示す説明図。
【図６】同上システムにおける検診情報項目画面の一例を示す説明図。
【図７】同上システムにおける検診情報入力画面の一例を示す説明図。
【図８】同上システムにおける助言情報入力画面の一例を示す説明図。
【図９】同上システムにおける診察依頼書の一例を示す説明図。
【符号の説明】
１０　管理本部側サーバ装置
１１　同上の送信手段
１２　同上の受信手段
１３　同上の入力手段
１４　同上の出力手段
１５　同上の記憶手段
１６　同上のＩＤ付与手段
１７　同上の照合手段
１８　同上の選別手段
１９　同上の更新手段
２０　電子メール送信装置
２１　獣医師データベース
２２　歯科医師データベース
２３　電子カルテデータベース
２４　診療動物データベース
２５　診療履歴データベース
３０　獣医師側端末装置
４０　歯科医師側端末装置
【図１】
2004033663.tif 000003
【図２】
2004033663.tif 000004
【図３】
2004033663.tif 000005
【図４】
2004033663.tif 000006
【図５】
2004033663.tif 000007
【図６】
2004033663.tif 000008
【図７】
2004033663.tif 000009
【図８】
2004033663.tif 000010
【図９】
2004033663.tif 000011